(57)【要約】  複数枚が集合して繊維強化プラスチックを形成する積層シートの切断方法であって、前記積層シートの長手方向における複数の位置において、前記積層シートの厚み方向に沿った少なくとも一つのカッタを前記積層シートに押し当てるカッタ押し当てステップと、前記カッタ押し当てステップの後、前記少なくとも一つのカッタを前記厚み方向に前記積層シートの内部に押し込んで前記積層シートを切断する切断ステップとを備え、前記切断ステップでは、前記複数の位置のそれぞれにおいて、前記少なくとも一つのカッタの前記積層シートの内部への押し込み量を互いに異ならせて、前記積層シートの端部が階段状に切断されるようにしたことを特徴とする。
2014073102.tif 000002
【特許請求の範囲】
【請求項１】
複数枚が集合して繊維強化プラスチックを形成する積層シートの切断方法であって、
前記積層シートの長手方向における複数の位置において、前記積層シートの厚み方向に沿った少なくとも一つのカッタを前記積層シートに押し当てるカッタ押し当てステップと、
前記カッタ押し当てステップの後、前記少なくとも一つのカッタを前記厚み方向に前記積層シートの内部に押し込んで前記積層シートを切断する切断ステップとを備え、
前記切断ステップでは、前記複数の位置のそれぞれにおいて、前記少なくとも一つのカッタの前記積層シートの内部への押し込み量を互いに異ならせて、前記積層シートの端部が階段状に切断されるようにしたことを特徴とする繊維強化プラスチック用の積層シート切断方法。
【請求項２】
前記カッタ押し当てステップの前に、前記積層シートに対して切断用治具を前記厚み方向に関して位置決めする治具位置決めステップをさらに備え、
前記切断ステップでは、前記切断用治具によって前記少なくとも一つのカッタの前記厚み方向における移動量を規制して、前記複数の位置のそれぞれにおける前記少なくとも一つのカッタの前記押し込み量を互いに異ならせることを特徴とする請求項１に記載の繊維強化プラスチック用の積層シート切断方法。
【請求項３】
前記カッタ押し当てステップでは、前記積層シートの幅方向に対して前記少なくとも一つのカッタの刃面が斜めになるように前記少なくとも一つのカッタを前記積層シートに押し当て、
前記切断ステップでは、前記少なくとも一つのカッタにより、前記幅方向に対して斜めに前記積層シートを切断することを特徴とする請求項１又は２に記載の繊維強化プラスチック用の積層シート切断方法。
【請求項４】
切断ステップでは、Ｖ字状の切断線に沿って前記積層シートを切断することを特徴とする請求項３に記載の繊維強化プラスチック用の積層シート切断方法。
【請求項５】
前記幅方向に対して前記積層シートの切断線がなす角度は、０度より大きく且つ６０度以下であることを特徴とする請求項３又は４に記載の繊維強化プラスチック用の積層シート切断方法。
【請求項６】
前記複数の位置のうち隣接する２つの位置における前記押し込み量の差は、０．１ｍｍ以上５ｍｍ以下であることを特徴とする請求項１乃至５の何れか一項に記載の繊維強化プラスチック用の積層シート切断方法。
【請求項７】
複数枚が集合して繊維強化プラスチックを形成する積層シートの切断装置であって、
前記積層シートを切断するための少なくとも一つのカッタと、
前記積層シートの長手方向における複数の位置に前記少なくとも一つのカッタを位置決め可能に構成された位置決め部と、
前記積層シートの厚み方向における前記少なくとも一つのカッタの移動量を規制するための移動量規制部とを備え、
前記移動量規制部は、前記積層シートの端部が階段状に切断されるように、前記複数の位置のそれぞれにおける前記移動量を互いに異ならせるように構成されたことを特徴とする繊維強化プラスチック用の積層シート切断装置。
【請求項８】
前記積層シートが載置される基準面を有するベース部をさらに備え、
前記移動量規制部は、前記基準面に対する前記少なくとも一つのカッタの移動量を規制するように構成されたことを特徴とする請求項７に記載の繊維強化プラスチック用の積層シート切断装置。
【請求項９】
前記移動量規制部は、
前記積層シートの幅方向における前記基準面の両側において前記ベース部に立設され、階段状の上面を有する一対の側壁部と、
前記少なくとも一つのカッタに取り付けられて、前記階段状の上面に当接する階段状の当接面を有するカッタホルダとを含むことを特徴とする請求項８に記載の繊維強化プラスチック用の積層シート切断装置。
【請求項１０】
前記位置決め部は、前記側壁部および前記カッタホルダの一方に設けられた凸部と、前記側壁部および前記カッタホルダの他方に設けられた凹部との係合部であり、
前記係合部は、前記積層シートの長手方向の複数の位置に設けられることを特徴とする請求項７乃至９のいずれか一項に記載の繊維強化プラスチック用の積層シート切断装置。
【請求項１１】
前記積層シートの幅方向における前記基準面の両側において前記ベース部に立設され、階段状の上面を有する一対の側壁部と、
前記ベース部および前記側壁部により構成される下側ケーシングに対して回動軸を介して回動自在に取り付けられ、前記カッタに取り付けられるカッタホルダの挿入用開口を有する上側ケーシングとをさらに備え、
前記移動量規制部は、前記カッタホルダの前記挿入用開口に対する挿入深さを規制するフランジ部を含むことを特徴とする請求項８に記載の繊維強化プラスチック用の積層シート切断装置。
【請求項１２】
階段状の端部を有する少なくとも一つの層からなる強化繊維プラスチックであって、
前記強化繊維プラスチックの各層は、前記強化繊維プラスチックを形成する積層シートの長手方向における複数の位置において、前記積層シートの厚み方向に沿った少なくとも一つのカッタを前記積層シートに押し当て、前記少なくとも一つのカッタを前記厚み方向に前記積層シートの内部に押し込んで前記積層シートを切断することで形成され、
前記積層シートの切断時に、前記複数の位置のそれぞれにおいて、前記少なくとも一つのカッタの前記積層シートの内部への押し込み量を互いに異ならせて、前記積層シートの端部を前記階段状に切断するようにしたことを特徴とする強化繊維プラスチック。
【発明の詳細な説明】
【技術分野】
【０００１】
本開示は、強化繊維を含む積層シートの切断方法および装置、並びに繊維強化プラスチックに関する。
【背景技術】
【０００２】
強化繊維および樹脂を含む複合材料である繊維強化プラスチックは、高強度で且つ軽量であることから、近年、風車翼、航空機の主翼、自動車、船舶、鉄道車両等の部材への適用が急速に進みつつある。一般に、繊維強化プラスチックは、部材に要求される強度および剛性を有する積層構造となるように、強化繊維を含む積層シート（中間基材）が複数積み重ねられた構成となっている。繊維強化プラスチックを構成する積層シートは、一方向に引き揃えられた繊維または織られた繊維からなる薄いシート状部材が複数積層されて一体化されており、例えば、積層シートとしては、強化繊維基材に樹脂が含浸された半硬化状態のプリプレグ材、樹脂が含浸された強化繊維の束をシート状に成形したダイレクトロービングシート、樹脂が含浸されていないドライクロス等が用いられる。【０００３】
このような繊維強化プラスチックには、部材の板厚が不連続に変化する板厚変化部で剥離が発生しやすいという欠点がある。これは、板厚変化部において応力集中が生じるためと考えられ、板厚の変化量が大きい程剥離が発生しやすいことが知られている。このため、従来は、繊維強化プラスチックの板厚変化部における剥離を抑制する目的で、繊維強化プラスチックの製造時に薄い積層シートを階段状に積層したり、機械加工によって端部にテーパを設けた積層シートを積み重ねたりしていた（例えば特許文献１および２）。なお、特許文献３には、積層シートの切断時に積層シートの端部を階段状にすることが開示されている。
【先行技術文献】
【特許文献】
【０００４】
【特許文献１】米国特許公開第２０１１／０１４３０８１号明細書
【特許文献２】米国特許公開第２０１１／０１４３０８２号明細書
【特許文献３】米国特許公開第２００８／０１４５６１５号明細書
【発明の概要】
【発明が解決しようとする課題】
【０００５】
しかしながら、薄い積層シートを階段状に積層して繊維強化プラスチックを製造する場合、部材の厚さに対応して多くの枚数の積層シートを積層する必要があり、積層作業に時間と手間がかかってしまうという問題があった。また、機械加工によって積層シートにテーパを設ける場合、例えば数ｍｍ以下の厚さの積層シートに機械加工によってテーパを形成することは極めて困難である。さらに、積層後の繊維強化プラスチックにテーパを形成する場合、繊維強化プラスチックに剥離などの損傷が入らないように入念に据え付け加工する必要があるので加工工程が長くなり、さらに品質管理が必要になるという問題もある。
一方、特許文献３に開示されるように、積層シート自体に段差を設ける構成とすれば板厚変化量を小さくできる。しかし、特許文献３には、薄い積層シートの端部を段差状に切断するための具体的な手法は何ら開示されていない。【０００６】
本発明の少なくとも一実施形態の目的は、繊維強化プラスチックの製造作業の負荷を軽減でき、且つ、剥離し難い繊維強化プラスチックの材料として好適に用いられる積層シートを提供し得る繊維強化プラスチック用の積層シート切断方法および装置、並びに繊維強化プラスチックを提供することである。
【課題を解決するための手段】
【０００７】
本発明の少なくとも一実施形態に係る繊維強化プラスチック用の積層シート切断方法は、複数枚が集合して繊維強化プラスチックを形成する積層シートの切断方法であって、前記積層シートの長手方向における複数の位置において、前記積層シートの厚み方向に沿った少なくとも一つのカッタを前記積層シートに押し当てるカッタ押し当てステップと、前記カッタ押し当てステップの後、前記少なくとも一つのカッタを前記厚み方向に前記積層シートの内部に押し込んで前記積層シートを切断する切断ステップとを備え、前記切断ステップでは、前記複数の位置のそれぞれにおいて、前記少なくとも一つのカッタの前記積層シートの内部への押し込み量を互いに異ならせて、前記積層シートの端部が階段状に切断されるようにしたことを特徴とする。【０００８】
上記積層シート切断方法では、積層シートの長手方向における複数の位置において、積層シートにカッタを押し込んで積層シートを切断する。このとき、積層シートの厚み方向にカッタを押し込むようにしている。そのため、積層シートをテーパ状に切断する場合に比べて、積層シート面に対して垂直方向にカッタを押し込めばよいので切断作業が容易となる。また、複数の位置のそれぞれにおいてカッタの押し込み量を異ならせることによって積層シートの端部が階段状に切断されるようにしているので、階段状の端部を有する積層シートを簡単に得ることができる。こうして得られた積層シートを複数重ねて繊維強化プラスチックを製造すれば、剥離し難い繊維強化プラスチックとすることができる。【０００９】
幾つかの実施形態では、前記カッタ押し当てステップの前に、前記積層シートに対して切断用治具を前記厚み方向に関して位置決めする治具位置決めステップをさらに備え、前記切断ステップでは、前記切断用治具によって前記少なくとも一つのカッタの前記厚み方向における移動量を規制して、前記複数の位置のそれぞれにおける前記少なくとも一つのカッタの前記押し込み量を互いに異ならせてもよい。
このように、積層シートの厚み方向におけるカッタの移動量を規制する切断用治具を用いて、積層シートに対して切断用治具を厚み方向に位置決めするようにしたので、積層シート端部の各段差を所望の高さに形成することができる。【００１０】
幾つかの実施形態では、前記カッタ押し当てステップでは、前記積層シートの幅方向に対して前記少なくとも一つのカッタの刃面が斜めになるように前記少なくとも一つのカッタを前記積層シートに押し当て、前記切断ステップでは、前記少なくとも一つのカッタにより、前記幅方向に対して斜めに前記積層シートを切断してもよい。
このように、積層シートを幅方向に対して斜めに切断することにより、積層シートの長手方向に対する該積層シートの断面積変化量を小さくすることができる。したがって、積層シートの応力変化量を低減できるので、この積層シートを複数重ねて繊維強化プラスチックを製造した際に、より一層剥離し難い繊維強化プラスチックとすることができる。なお、積層シートの断面積とは、積層シートの幅方向における断面積をいう。【００１１】
幾つかの実施形態では、切断ステップでは、Ｖ字状の切断線に沿って前記積層シートを切断してもよい。
これにより、積層シートが幅方向の中心線に対して左右対称に切断されるので、幅方向における強度および剛性の偏りが少ないシート構造とすることができる。【００１２】
幾つかの実施形態では、前記幅方向に対して前記積層シートの切断線がなす角度は、０度より大きく且つ６０度以下であってもよい。
このように、幅方向に対して積層シートの切断線がなす角度を０度以上とすることで、積層シートが斜めに切断され、積層シートの長手方向に対する該積層シートの断面積変化を滑らかにすることができる。そのため、より一層積層シートの剥離を生じにくくすることができる。
また、幅方向に対して積層シートの切断線がなす角度を６０度以下とすることで、例えば繊維ロール側の斜めに切断された部位を廃却する場合であっても、廃却量を抑えることができる。さらに、積層シートを斜めに切断する場合には、積層シートを幅方向に平行（すなわち積層シートの長手方向に直角）に切断する場合に比べて、カッタの長さを長くする必要があるが、幅方向に対して積層シートの切断線がなす角度を６０度以下とすることで、カッタが長尺になりすぎるのを防止できる。よって、成形コストを抑えることができる。【００１３】
幾つかの実施形態では、前記複数の位置のうち隣接する２つの位置における前記押し込み量の差は、０．１ｍｍ以上５ｍｍ以下であってもよい。
隣接する２つの位置における押し込み量の差、すなわち切断後における積層シートの段差の高さが０．１ｍｍ未満の場合、段差を多数設ける必要があり作業効率が低下する。一方、段差の高さが５ｍｍを超える場合、積層シートの長手方向に対する該積層シートの断面積変化量が大きくなり、この積層シートを複数重ねて繊維強化プラスチックを製造した時に、剥離の問題を解消することは困難となる。したがって、押し込み量の差を０．１ｍｍ以上５ｍｍ以下とすることで、繊維強化プラスチックの製造に際して作業が容易となるため生産性が向上し、且つ、製造された繊維強化プラスチックを剥離し難い繊維強化プラスチックとすることができる。【００１４】
本発明の少なくとも一実施形態に係る繊維強化プラスチック用の積層シートの切断装置は、複数枚が集合して繊維強化プラスチックを形成する積層シートの切断装置であって、前記積層シートを切断するための少なくとも一つのカッタと、前記積層シートの長手方向における複数の位置に前記少なくとも一つのカッタを位置決め可能に構成された位置決め部と、前記積層シートの厚み方向における前記少なくとも一つのカッタの移動量を規制するための移動量規制部とを備え、前記移動量規制部は、前記積層シートの端部が階段状に切断されるように、前記複数の位置のそれぞれにおける前記移動量を互いに異ならせるように構成されたことを特徴とする。【００１５】
上記積層シートの切断装置によれば、位置決め部によって積層シートの長手方向における複数の位置にカッタを位置決めするようにしたので、積層シートの長手方向における段差位置を適切に設定することができる。また、移動量規制部によってカッタの移動量を規制し、積層シートの端部が階段状に切断されるようにしたので、積層シートを複数重ねて繊維強化プラスチックを製造した際に、剥離し難い繊維強化プラスチックとすることができる。【００１６】
幾つかの実施形態では、前記積層シートが載置される基準面を有するベース部をさらに備え、前記移動量規制部は、前記基準面に対する前記少なくとも一つのカッタの移動量を規制するように構成されてもよい。
このように、移動量規制部は、積層シートが載置される基準面に対してカッタの移動量を規制するようにしたので、カッタと積層シートとの相対位置を精度良く調整することができる。よって、積層シートの厚み方向における段差位置を適切に設定することができる。【００１７】
幾つかの実施形態では、前記移動量規制部は、前記積層シートの幅方向における前記基準面の両側において前記ベース部に立設され、階段状の上面を有する一対の側壁部と、前記少なくとも一つのカッタに取り付けられて、前記階段状の上面に当接する階段状の当接面を有するカッタホルダとを含んでいてもよい。
上記実施形態では、積層シートの両側に配置される一対の側壁部の上面を階段状に形成し、この階段状の上面にカッタホルダの当接面を当接させることによってカッタの移動量を規制するようにしている。このような構成とすることにより、設定された押し込み量だけカッタを確実に押し込むことができる。【００１８】
幾つかの実施形態では、前記位置決め部は、前記側壁部および前記カッタホルダの一方に設けられた凸部と、前記側壁部および前記カッタホルダの他方に設けられた凹部との係合部であり、前記係合部は、前記積層シートの長手方向の複数の位置に設けられてもよい。
このように、側壁部およびカッタホルダの一方に設けられた凸部と、他方に設けられた凹部とを係合させるようにしたので、積層シートの長手方向におけるカッタの位置決めを正確且つ容易に行うことができる。またカッタ（カッタホルダ）を側壁部から容易に着脱できるので作業効率の向上が図れる。【００１９】
幾つかの実施形態では、前記積層シートの幅方向における前記基準面の両側において前記ベース部に立設され、階段状の上面を有する一対の側壁部と、前記ベース部および前記側壁部により構成される下側ケーシングに対して回動軸を介して回動自在に取り付けられ、前記カッタに取り付けられるカッタホルダの挿入用開口を有する上側ケーシングとをさらに備え、前記移動量規制部は、前記カッタホルダの前記挿入用開口に対する挿入深さを規制するフランジ部を含んでいてもよい。
上記実施形態によれば、下側ケーシングと上側ケーシングとは回動軸を介して回動自在に取り付けられている。さらに、カッタホルダは、挿入用開口に対してフランジ部で当接することで、カッタと上側ケーシングとが位置決めされるようになっている。そのため、下側ケーシングと上側ケーシングとを合わせることによって、ベース部に載置される積層シートと、カッタホルダに取り付けられたカッタとを精度よく位置合わせすることができる。よって、積層シートの階段状の段差を高精度で形成することができる。【００２０】
本発明の少なくとも一実施形態に係る繊維強化プラスチックは、階段状の端部を有する少なくとも一つの層からなる強化繊維プラスチックであって、前記強化繊維プラスチックの各層は、前記強化繊維プラスチックを形成する積層シートの長手方向における複数の位置において、前記積層シートの厚み方向に沿った少なくとも一つのカッタを前記積層シートに押し当て、前記少なくとも一つのカッタを前記厚み方向に前記積層シートの内部に押し込んで前記積層シートを切断することで形成され、前記積層シートの切断時に、前記複数の位置のそれぞれにおいて、前記少なくとも一つのカッタの前記積層シートの内部への押し込み量を互いに異ならせて、前記積層シートの端部を前記階段状に切断するようにしたことを特徴とする。【００２１】
上記繊維強化プラスチックは、積層シートの長手方向における複数の位置において、厚み方向のカッタの押し込み量が互いに異なるようにしてカッタを押し込むことによって端部が階段状に切断された少なくとも一つの積層シートを用いている。そのため、繊維強化プラスチックの端部における断面積変化を小さくでき、よって端部における応力集中を小さくできるので、積層シートを複数積み重ねた場合においても剥離し難い繊維強化プラスチックとすることができる。
【発明の効果】
【００２２】
本発明の少なくとも一実施形態によれば、積層シートの長手方向における複数の位置において、積層シートの厚み方向にカッタを押し込むようにしている。そのため、積層シートをテーパ状に切断する場合に比べて、積層シート面に対して垂直方向にカッタを押し込めばよいので切断作業が容易となる。また、複数の位置のそれぞれにおいてカッタの押し込み量を異ならせることによって積層シートの端部が階段状に切断されるようにしているので、階段状の端部を有する積層シートを簡単に得ることができる。こうして得られた積層シートを複数重ねて繊維強化プラスチックを製造すれば、剥離し難い繊維強化プラスチックとすることができる。
【図面の簡単な説明】
【００２３】
【図１】一実施形態に係る積層シート切断方法の手順を示す図である。
【図２】他の一実施形態に係る積層シート切断方法の手順を示す図である。
【図３】図１の積層シートを複数枚積み重ねて製造した繊維強化プラスチックの構成例を示す斜視図である。
【図４】（Ａ）は幅方向の段差部を有する積層シートの斜視図で、（Ｂ）は斜め方向の段差部を有する積層シートの斜視図で、（Ｃ）は段差部を有しない積層シートの斜視図である。
【図５】一実施形態に係る積層シート切断装置の具体的な構成例を示す側面図である。
【図６】図５の積層シート切断装置のＡ方向矢視図である。
【図７】超音波カッタの一例を示す側面図である。
【図８】他の一実施形態に係る積層シート切断装置の具体的な構成例を示す斜視図である。
【図９】（Ａ）は他の一実施形態に係る積層シート切断装置の具体的な構成例を示す斜視図で、（Ｂ）は側断面図である。
【発明を実施するための形態】
【００２４】
以下、添付図面に従って本発明の実施形態について説明する。ただし、実施形態として以下に記載され、あるいは、実施形態として図面で示された構成部品の寸法、材質、形状、その相対的配置等は、本発明の範囲をこれに限定する趣旨ではなく、単なる説明例にすぎない。
【００２５】
図１は一実施形態に係る積層シート切断方法の手順を示す図である。図２は他の一実施形態に係る積層シート切断方法の手順を示す図である。図３は図１の積層シートを複数枚積み重ねて製造した繊維強化プラスチックの構成例を示す斜視図である。
一実施形態において、積層シート１は、少なくとも強化繊維を含むシート状部材が複数積層されて形成されている。例えば、積層シート１としては、強化繊維基材に樹脂が含浸された半硬化状態のプリプレグ材、樹脂が含浸された強化繊維の束をシート状に成形したダイレクトロービングシート、樹脂が含浸されていないドライクロス等が用いられる。積層シート１は、長尺に形成されており、例えば巻芯に対してロール状に巻回された状態となっている。その場合、繊維強化プラスチックを製造する際には、ロール体から積層シートを引き出し、繊維強化プラスチックの製造に必要な長さとなるように、積層シートの端部を切断する。
【００２６】
以下、一実施形態に係る積層シート切断方法の手順について説明する。
最初に、図１（Ａ）に示すように、カッタ押し当てステップにおいて、積層シート１の長手方向における複数の位置Ｐ１、Ｐ２、Ｐ３において、少なくとも一つのカッタ１２の刃先を積層シート１に押し当てる。このとき、カッタ１２は積層シート１の厚み方向に沿うように配置される。複数の位置は、積層シート切断後の端部側から順に位置Ｐ１、Ｐ２、Ｐ３とする。ここでは複数の位置が３箇所である場合を例示しているが、位置の数は限定されない。
【００２７】
なお、カッタ押し当てステップの前に、積層シート１に対して切断用治具１４を厚み方向に関して位置決めする治具位置決めステップを行ってもよい。切断用治具１４は、カッタ１２の厚み方向における移動量を規制して、複数の位置Ｐ１、Ｐ２、Ｐ３のそれぞれにおけるカッタ１２の移動量を規制する。具体的には、切断用治具１４は積層シート１の幅方向における両側面に配置される一対の平板状部材を含む。一対の平板状部材には、積層シート１のカッタ押し当て面側に、段差状に形成された複数のカッタ受け面１４ａを有している。すなわち、カッタ受け面１４ａは、隣接するカッタ受け面１４ａに対して厚み方向に異なる位置に設けられている。治具位置決めステップでは、カッタ受け面１４ａが、積層シート１の幅方向における両側において同一の高さとなるように、一対の切断用治具１４が位置決めされる。
【００２８】
次に、図１（Ｂ）に示すように、切断ステップにおいて、積層シート１の厚み方向にカッタ１２を積層シート１の内部に押し込んで、積層シート１を切断する。このとき、積層シート１の複数の位置Ｐ１、Ｐ２、Ｐ３のそれぞれにおいて、積層シート１の内部へのカッタ１２の押し込み量Ｌ１、Ｌ２、Ｌ３を互いに異ならせる。
切断用治具１４を用いる場合、積層シート１の位置Ｐ１では、積層シート１が載置されているベース部１５までカッタ１２が押し込まれる。このとき、積層シート１が最下部まで完全に切断されるように、カッタ１２の刃先が挿入されるような溝１６をベース部１５に設けてもよい。さらに、カッタ１２の刃先の損傷を防止する目的で、ベース部１５の溝１６にストッパ１７を設けてもよい。これにより、カッタ１２の刃先がベース部１５より下方に到達した位置で、カッタ１２の両端部（切断に用いられない部位）がストッパ１７に当接するので、刃先がベース部１５に接触して損傷するのを防げる。
このように、積層シート１の位置Ｐ１では、カッタ１２の押し込み量Ｌ１は、積層シート１の厚さと一致するかまたはその厚さより大きい。そのため、位置Ｐ１では、カッタ１２を厚み方向に押し込み量Ｌ１だけ押し込むことによって積層シート１は完全に切断される。
位置Ｐ１に隣接する位置Ｐ２では、カッタ１２の押し込み量Ｌ２は積層シート１の厚さより小さい。すなわち、切断用治具１４のカッタ受け面１４ａがベース部１５の積層シート載置面（基準面）より上方に位置する。同様に、位置Ｐ２に隣接する位置Ｐ３では、カッタ１２の押し込み量Ｌ３は位置Ｐ２の押し込み量Ｌ２より小さい。すなわち、位置Ｐ３におけるカッタ受け面１４ａは位置Ｐ２におけるカッタ受け面１４ａより上方に位置する。カッタ１２を所定の押し込み量Ｌだけ押し込んだ後は、図１（Ｂ）の矢印方向にカッタ１２を移動させて、切断した積層シート２の切れ端を取り除いてもよい。通常、積層シート２は厚み方向の拘束力が弱いものが多いので、その場合は厚み方向の切り込みのみで積層シート２の切れ端を分離できる。
このようにして、図１（Ｃ）に示すように、完全に切断された位置Ｐ１から積層シート１の長手方向に沿って、階段状の段差部４が形成される。
【００２９】
一つのカッタ１２を用いる場合には、積層シート１の複数の位置Ｐ１、Ｐ２、Ｐ３において順にカッタ１２を積層シート１の内部に押し込む。その場合、切断後に最端部となる位置Ｐ１側から位置Ｐ２、Ｐ３の順に切断してもよいし、反対に位置Ｐ３から位置Ｐ２、Ｐ１の順に切断してもよい。
複数のカッタ１２を用いる場合には、積層シート１の複数の位置Ｐ１、Ｐ２、Ｐ３において、複数のカッタ１２で積層シート１に同時に切り込みを入れる。このとき、切断用治具１４は、複数のカッタ１２の先端が段差状となるように複数のカッタ１２が互いに固定されていてもよい。その場合、切断用治具１４は階段状のカッタ受け面１４ａを有していなくてもよく、例えば積層シート１が載置されるベース部（不図示）を基準にして階段状の段差が形成される。
【００３０】
幾つかの実施形態では、複数の位置Ｐ１、Ｐ２、Ｐ３のうち隣接する２つの位置における押し込み量の差は、０．１ｍｍ以上５ｍｍ以下であってもよい。
隣接する２つの位置における押し込み量の差、すなわち切断後における積層シート１の段差部４の高さが０．１ｍｍ未満の場合、段差部４を多数設ける必要があり作業効率が低下する。一方、段差部４の高さが５ｍｍを超える場合、積層シート１の長手方向に対する該積層シート１の断面積変化量が大きくなり、この積層シート１を複数重ねて繊維強化プラスチックを製造した時に、剥離の問題を解消することは困難となる。したがって、押し込み量の差（段差部４の高さ）を０．１ｍｍ以上５ｍｍ以下とすることで、繊維強化プラスチックの製造に際して作業が容易となるため生産性が向上し、且つ、製造された繊維強化プラスチックを剥離し難い繊維強化プラスチックとすることができる。
【００３１】
また、他の実施形態では、図２に示すように、カッタ押し当てステップにて、積層シート１の幅方向に対してカッタ１２’の刃面が斜めになるようにしてカッタ１２’を押し込むようにしてもよい。
図２（Ａ）に示すように、カッタ押し当てステップの前に、切断用治具１４を積層シート１の幅方向における両側面に配置する。カッタ押し当てステップでは、積層シート１の長手方向における複数の位置Ｐ１、Ｐ２、Ｐ３において、少なくとも一つのカッタ１２’を積層シート１に押し当てる。具体的には、カッタ１２’はＶ字形状の刃先を有している。そのため、図１（Ｂ）に示す切断ステップにおいては、カッタ１２’を押し込んだ時に積層シート１はＶ字状の段差部４’が残されるように切断される。そして、図１と同様に、積層シート１の複数の位置Ｐ１、Ｐ２、Ｐ３のそれぞれにおいて、カッタ１２’の積層シート１の内部への押し込み量Ｌを互いに異ならせて切断する。これにより、図２（Ｃ）に示すように積層シート１には、Ｖ字状の段差部４’が階段状に形成される。
なお、図２には一例として、Ｖ字状の刃先を有するカッタ１２を用いた場合を例示したが、カッタ１２の形状はこれに限定されるものではない。
【００３２】
幾つかの実施形態では、図４（Ｂ）に示すように、幅方向に対して積層シート１Ｂの切断線がなす角度θ、すなわち積層シート１Ｂの幅方向に対するカッタ１２’（図２参照）の刃先の角度は、０度より大きく且つ６０度以下であってもよい。
このように、積層シート１Ｂの幅方向に対して積層シート１Ｂの切断線がなす角度θを０度以上とすることで、積層シート１Ｂが斜めに切断され、積層シート１Ｂの長手方向に対する該積層シート１Ｂの断面積変化を滑らかにすることができる。そのため、より一層積層シート１Ｂの剥離を生じにくくすることができる。
また、幅方向に対して積層シート１Ｂの切断線がなす角度θを６０度以下とすることで、例えば繊維ロール側の斜めに切断された部位を廃却する場合であっても、廃却量を抑えることができる。さらに、積層シート１Ｂを斜めに切断する場合には、積層シート１Ｂを幅方向に平行（すなわち積層シートの長手方向に直角）に切断する場合に比べて、カッタ１２’の長さを長くする必要があるが、幅方向に対して積層シート１Ｂの切断線がなす角度を６０度以下とすることで、カッタ１２’が長尺になりすぎるのを防止できる。よって、成形コストを抑えることができる。
【００３３】
上述のように形成された階段状の段差部４を有する積層シート１は、例えば図３に示すように、複数枚が集合して繊維強化プラスチック１００を形成する。一実施形態では、段差部４を有する積層シート１が、さらに段差状になるようにして他の積層シート１と積み重ねられて繊維強化プラスチック１００を形成する。積層シート１が積み重ねられる枚数は特に限定されない。繊維強化プラスチック１００は、例えば風車翼、航空機の主翼、自動車、船舶、鉄道車両等の部材の材料として用いられる。
【００３４】
ここで、図４を参照して、積層シート１の端部形状とその応力との関係について説明する。図４（Ａ）は幅方向の段差部を有する積層シート１Ａの斜視図で、（Ｂ）は斜め方向の段差部を有する積層シート１Ｂの斜視図で、（Ｃ）は段差部を有しない積層シート１Ｃの斜視図である。
比較例として図４（Ｃ）に示す例は、端部２が段差を有していない積層シート１Ｃである。これに対して、図４（Ａ）および図４（Ｂ）は、本発明の実施形態に係る積層シート１Ａ、１Ｂであり、いずれも階段状の段差部４Ａ、４Ｂを有している。このうち積層シート１Ａは、幅方向に平行に形成された段差部４Ａを有しており、積層シート１Ｂは幅方向に対して斜めに形成された段差部４Ｂを有している。
各積層シートの斜視図の下方には、長手方向の各位置における応力分布のグラフを示している。図４（Ｃ）に示す積層シート１Ｃは、端面２に応力が集中していることがわかる。これに対して、図４（Ａ）の積層シート１Ａは、階段状に形成された各端面４Ａに応力が集中するものの、階段状に形成されているため複数の段差部４Ａに分散されて各位置の応力はそれ程大きくならない。すなわち、積層シート１Ａのように不連続な板厚の変化量を小さくすると、板厚変化部に生じる応力が低下する。そのため、図４（Ｃ）に示す積層シート１Ｃに比べて、繊維強化プラスチックを製造したときに、剥離し難い繊維強化プラスチックとすることができる。また、図４（Ｂ）に示す積層シート１Ｂは、幅方向に対して斜めに形成された段差部４Ｂを階段状に複数有しているので、長手方向に対する断面８における断面積が連続的に変化する。このように、断面積が連続的に変化するので、図４（Ａ）の積層シート１Ａよりも板厚変化部の発生応力を更に小さくすることができる。したがって、繊維強化プラスチックを製造したときに、より一層剥離し難い繊維強化プラスチックとすることができる。
【００３５】
次に、図５〜図９を参照して、本実施形態に係る積層シート切断装置の具体的な構成例について説明する。図５は一実施形態に係る積層シート切断装置の具体的な構成例を示す側面図である。図６は図５の積層シート切断装置のＡ方向矢視図である。図７は超音波カッタの一例を示す側面図である。図８は他の一実施形態に係る積層シート切断装置の具体的な構成例を示す斜視図である。図９（Ａ）は他の一実施形態に係る積層シート切断装置の具体的な構成例を示す斜視図で、（Ｂ）は側断面図である。
【００３６】
図５および図６に示すように、一実施形態では、積層シート切断装置２０は、積層シート１の少なくとも一部を収容するケーシング２１と、積層シート１を切断する超音波カッタ３０と、超音波カッタ３０を保持するカッタホルダ２５とを有する。
【００３７】
ケーシング２１は、積層シート１が載置されるベース部２２と、ベース部２２に立設される一対の側壁部２３を含む。
ベース部２２は、積層シート１が載置される平坦な基準面を有する。
一対の側壁部２３は、積層シート１の幅方向における基準面の両側においてベース部２２に立設され、階段状の上面２３ａを有する。隣接する２つの上面２３ａの高さの差は、積層シート１の段差部４の高さに対応している。また、一対の側壁部２３は、長手方向に複数のスリット２４を有する。隣接するスリット２４の間隔は、積層シート１の段差部４の幅Ｗに対応している。なお、段差部４の幅Ｗとは、隣接する段差部４、４の間の長手方向における距離である。複数の段差部４を有する場合、段差部間の各幅Ｗは同一であっても異なっていてもよい。
【００３８】
超音波カッタ３０は、図７に示すように、超音波発生部３１と、カッタ３２とを含む。超音波カッタ３０では、超音波発生部３１で超音波を発生させるとカッタ３２が超音波により振動し、これにより切断し難い部材であっても切断可能となる。なお、ここでは超音波カッタ３０を例示しているが、超音波発生部を有しない通常のカッタであってもよい。
【００３９】
カッタホルダ２５は、超音波カッタ３０をカッタ３２の幅方向に挟み込む一対の支持板２６と、一対の支持板２６の端部に設けられた一対の当接面２７と、積層シート１の長手方向においてカッタ３２を挟み込むように設けられた一対の板部材２８、２８とを含む。
支持板２６には、例えば超音波カッタ３０の超音波発生部３１がボルト締結によって固定される。当接面２７は、支持板２６の下方端部に階段状に形成され、側壁部２３の階段状の上面２３ａに当接するようになっている。
【００４０】
カッタホルダ２５の板部材（凸部）２８が、側壁部２３のスリット（凹部）２４に係合することによって、積層シート１の長手方向におけるカッタホルダ２５の位置決めがなされる。スリット２４は長手方向に複数設けられているので、板部材２８を係合するスリット２４の位置を選択することによって、長手方向における積層シート１の所望の位置に段差部４を形成することができる。なお、ここでは、カッタホルダ２５に板部材２８である凸部を設け、側壁部２３にスリット２４である凹部を設けた構成を例示したが、逆の構成として、カッタホルダ２５に凹部を設け、側壁部２３に凸部を設けた構成としてもよい。
このように、ケーシング２１の側壁部２３およびカッタホルダ２５の板部材２８の一方に設けられた凸部と、他方に設けられた凹部とを係合させるようにしたので、積層シートの長手方向におけるカッタ３２の位置決めを正確且つ容易に行うことができる。またカッタ（カッタホルダ）３２を側壁部２３から容易に着脱できるので作業効率の向上が図れる。
【００４１】
そして、超音波カッタ３０を支持したカッタホルダ２５が下方に移動することにより、カッタホルダ２５の当接面２７が側壁部２３の上面２３ａに当接する。これにより、カッタホルダ２５に支持された超音波カッタ３０は、積層シート１の厚み方向における移動量が規制される。このとき、側壁部２３の上面２３ａは階段状に形成されているので、積層シート１の長手方向にカッタホルダ２５を移動させて下方に移動させることによって、カッタ３２が各位置Ｐ１、Ｐ２、Ｐ３、…における所定の押し込み量Ｌ１、Ｌ２、Ｌ３、…だけ積層シート１の内部に押し込まれる。そのため、積層シート１は長手方向に階段状に切断される。なお、側壁部２３の上面２３ａおよびカッタホルダ２５の当接面２７は、ベース部２２の基準面に対するカッタ３２の移動量を規制するように構成されていてもよい。
このように、積層シート１の両側に配置される一対の側壁部２３の上面２３ａを階段状に形成し、この階段状の上面２３ａにカッタホルダ２５の当接面２７を当接させる。これによりカッタ３２の移動量が規制され、設定された押し込み量だけカッタ３２を確実に押し込むことができる。なお、積層シート１の最端部となる位置Ｐ１では、積層シート１を完全に切断するために、スリット２４を基準面より下方まで延在させてもよい。
【００４２】
図８に示すように、他の一実施形態では、積層シート切断装置４０は、積層シート１の少なくとも一部を収容するケーシング４２と、カッタ４８とを有する。
カッタ４８は、例えば図７に示す超音波カッタが３０が用いられる。
ケーシング４２は、積層シート１が載置される平坦な基準面を有するベース部４３と、ベース部４３から積層シート１の幅方向の両側に立設する一対の側壁部４４とを含む。一対の側壁部４４には、積層シート１の長手方向における複数の位置Ｐ２、Ｐ３に、それぞれ、一対のスリット４５が設けられている。積層シート１の厚み方向に対するスリット４５の長さは、複数の位置Ｐ２、Ｐ３において異なっている。
【００４３】
上記構成を有する積層シート切断装置４０において、積層シート１の少なくとも一部をケーシング４２内に収容し、位置Ｐ２、Ｐ３においてカッタ４８を積層シート１の表面に押し当てる。さらに、積層シート１に押し当てたカッタ４８を積層シート１の内部に押し込むことにより、カッタ４８はスリット４５の長さＬ２、Ｌ３だけ積層シート１の内部に押し込まれる。この動作を複数の位置Ｐ２、Ｐ３において順に行うことにより、積層シート１の端部が階段状に切断される。なお、切断後の積層シート１の最端部となる位置Ｐ１は同図では省略している。
このように、積層シート１の長手方向における複数の位置Ｐ２、Ｐ３において、ケーシング４２の側壁部４４に長さの異なるスリット４５を形成し、カッタ４８をスリット４５に沿わせて押し込むことによって、階段状の端部を有する積層シート１を形成することができる。
【００４４】
図９（Ａ）、（Ｂ）に示すように、他の一実施形態では、積層シート切断装置５０は、超音波カッタ６０と、積層シート１の少なくとも一部を収容する下側ケーシング５２と、下側ケーシング５２に対して回動軸５９を介して回動自在に取り付けられた上側ケーシング５６とを有する。
【００４５】
超音波カッタ６０は、カッタホルダ６１と、カッタホルダ６１に取り付けられたカッタ６２とを含む。なお、カッタホルダ６１は超音波発生部であってもよく、その場合、図７に示す超音波カッタ３０を用いることができる。また、カッタホルダ６１には、積層シート１の厚み方向におけるカッタ６２の移動量を規制する目的で、フランジ部６３が設けられている。このフランジ部６３は、リング状に形成されてカッタホルダ６１の周面に対して摺動自在に装着され、フランジ部６３のカッタホルダ６１に対する長さ方向位置を変更可能に構成してもよい。これにより、積層シート１の厚み方向におけるカッタ６２の移動量を自在に設定可能となる。
【００４６】
下側ケーシング５２は、積層シート１が載置される平坦な基準面を有するベース部５３と、ベース部５３から積層シート１の幅方向の両側に立設する一対の側壁部５４とを含む。一対の側壁部５４には、積層シート１の長手方向における複数の位置Ｐ２、Ｐ３に、それぞれ、一対のスリット５５が設けられている。スリット５５は、いずれも基準面よりも下方まで延在している。
上側ケーシング５６は、側壁部５４に当接する当接面を有する蓋部５７と、蓋部５７に設けられ、カッタホルダ６１が挿入される挿入用開口５７ａとを含む。また、積層シート１と基準面との相対位置を適切に固定する目的で、上側ケーシング５６は、下側ケーシング５２に収容された積層シート１を上方から押さえ込む押さえ部５８を有していてもよい。
【００４７】
上記構成を有する積層シート切断装置５０において、上側ケーシング５６を開放した状態で積層シート１の一部を下側ケーシング５２内に収容した後、上側ケーシング５６を回動させて閉じる。このとき、押さえ部５８により積層シート１は上方から基準面に押さえ込まれる。次いで、上側ケーシング５６の挿入用開口５７ａから超音波カッタ６０を挿入し、積層シート１にカッタ６２を押し込む。そして、超音波カッタ６０は、カッタホルダ６１に設けられたフランジ部６３と挿入用開口５７ａの周縁とが当接するまで押し込まれ、当接した時点で停止する。これにより、カッタ６２の押し込み量が決定する。積層シート１の長手方向における複数の位置Ｐ２、Ｐ３にて上記と同様の動作を行う。その際には、複数の位置Ｐ２、Ｐ３において、フランジ部６３のカッタホルダ６１に対する長さ方向位置を異ならせることによって、各位置におけるカッタ６２の押し込み量（移動量）９が規制され、階段状の端部が形成される。
【００４８】
上記構成によれば、下側ケーシング５２と上側ケーシング５６とは回動軸５９を介して回動自在に取り付けられている。さらに、カッタホルダ６１は、挿入用開口５７ａに対してフランジ部６３で当接することで、カッタ６２と上側ケーシング５６とが位置決めされるようになっている。そのため、下側ケーシング５２と上側ケーシング５６とを合わせることによって、ベース部５３に載置される積層シート１と、カッタホルダ６１に取り付けられたカッタ６２とを精度よく位置合わせすることができる。よって、積層シート１の階段状の段差を高精度で形成することができる。
【００４９】
以上説明したように、上述の実施形態によれば、積層シート１の長手方向における複数の位置において、積層シート１にカッタ１２を押し込んで積層シート１を切断する。このとき、積層シート１の厚み方向にカッタ１２を押し込むようにしている。そのため、積層シート１をテーパ状に切断する場合に比べて、積層シート面に対して垂直方向にカッタを押し込めばよいので切断作業が容易となる。また、複数の位置のそれぞれにおいてカッタの押し込み量を異ならせることによって積層シート１の端部が階段状に切断されるようにしているので、上記積層シート切断方法で切断した積層シート１を複数重ねて繊維強化プラスチックを製造した際に、剥離し難い繊維強化プラスチックとすることができる。
【００５０】
以上、本発明の実施形態について詳細に説明したが、本発明はこれに限定されず、本発明の要旨を逸脱しない範囲において、各種の改良や変形を行ってもよいのはいうまでもない。
【符号の説明】
【００５１】
１，１Ａ〜１Ｃ  積層シート
２              端面
４，４’，４Ａ〜４Ｃ    段差部
１０，１０’，２０，４０，５０    積層シート切断装置
１２，１２’，３２，４８，６２    カッタ
１４            切断用治具
１４ａ          カッタ受け面
１５，２２，４３，５３    ベース部
１６            溝
１７            ストッパ
２０            切断装置
２１，４２      ケーシング
２３，４４，５４    側壁部
２３ａ          上面
２４，４５，５５    スリット
２５            カッタホルダ
２６            支持板
２７            当接面
２８            板部材
３０，６０      超音波カッタ
３１            超音波発生部
５２            下側ケーシング
５６            上側ケーシング
５７            ケーシング本体
５７ａ          挿入用開口
５８            押さえ部
５９            回動軸
６３            フランジ部
１００          繊維強化プラスチック
【図１】
2014073102.tif 000003
【図２】
2014073102.tif 000004
【図３】
2014073102.tif 000005
【図４】
2014073102.tif 000006
【図５】
2014073102.tif 000007
【図６】
2014073102.tif 000008
【図７】
2014073102.tif 000009
【図８】
2014073102.tif 000010
【図９】
2014073102.tif 000011
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
複数枚が集合して繊維強化プラスチックを形成する積層シートの切断方法であって、
前記積層シートの長手方向における複数の位置において、前記積層シートの厚み方向に沿った少なくとも一つのカッタを前記積層シートに押し当てるカッタ押し当てステップと、
前記カッタ押し当てステップの後、前記少なくとも一つのカッタを前記厚み方向に前記積層シートの内部に押し込んで前記積層シートを切断する切断ステップとを備え、
前記切断ステップでは、前記複数の位置のそれぞれにおいて、前記少なくとも一つのカッタの前記積層シートの内部への押し込み量を互いに異ならせて、前記複数の位置のうち１以上の位置において前記カッタの前記押し込み量を前記積層シートの厚さより小さく設定することで、前記積層シートの端部が前記積層シートの側面視において階段状に切断されるようにしたことを特徴とする繊維強化プラスチック用の積層シート切断方法。
【請求項２】
前記カッタ押し当てステップの前に、前記積層シートに対して切断用治具を前記厚み方向に関して位置決めする治具位置決めステップをさらに備え、
前記切断ステップでは、前記切断用治具によって前記少なくとも一つのカッタの前記厚み方向における移動量を規制して、前記複数の位置のそれぞれにおける前記少なくとも一つのカッタの前記押し込み量を互いに異ならせることを特徴とする請求項１に記載の繊維強化プラスチック用の積層シート切断方法。
【請求項３】
前記カッタ押し当てステップでは、前記積層シートの幅方向に対して前記少なくとも一つのカッタの刃面が斜めになるように前記少なくとも一つのカッタを前記積層シートに押し当て、
前記切断ステップでは、前記少なくとも一つのカッタにより、前記幅方向に対して斜めに前記積層シートを切断することを特徴とする請求項１又は２に記載の繊維強化プラスチック用の積層シート切断方法。
【請求項４】
切断ステップでは、Ｖ字状の切断線に沿って前記積層シートを切断することを特徴とする請求項３に記載の繊維強化プラスチック用の積層シート切断方法。
【請求項５】
前記幅方向に対して前記積層シートの切断線がなす角度は、０度より大きく且つ６０度以下であることを特徴とする請求項３又は４に記載の繊維強化プラスチック用の積層シート切断方法。
【請求項６】
前記複数の位置のうち隣接する２つの位置における前記押し込み量の差は、０．１ｍｍ以上５ｍｍ以下であることを特徴とする請求項１乃至５の何れか一項に記載の繊維強化プラスチック用の積層シート切断方法。
【請求項７】
前記積層シートは、プリプレグ材、ダイレクトロービングシート又はドライクロスの少なくとも一つを含むことを特徴とする請求項１乃至６の何れか一項に記載の繊維強化プラスチック用の積層シート切断方法。
【請求項８】
複数枚が集合して繊維強化プラスチックを形成する積層シートの切断装置であって、
前記積層シートを切断するための少なくとも一つのカッタと、
前記積層シートの長手方向における複数の位置に前記少なくとも一つのカッタを位置決め可能に構成された位置決め部と、
前記積層シートの厚み方向における前記少なくとも一つのカッタの移動量を規制するための移動量規制部とを備え、
前記移動量規制部は、前記積層シートの端部が前記積層シートの側面視において階段状に切断されるように、前記複数の位置のそれぞれにおける前記移動量を互いに異ならせて、前記複数の位置のうち１以上の位置において、前記厚み方向における前記カッタの前記移動量が前記積層シートの厚さより小さく設定されるように構成されたことを特徴とする繊維強化プラスチック用の積層シート切断装置。
【請求項９】
前記積層シートが載置される基準面を有するベース部をさらに備え、
前記移動量規制部は、前記基準面に対する前記少なくとも一つのカッタの移動量を規制するように構成されたことを特徴とする請求項８に記載の繊維強化プラスチック用の積層シート切断装置。
【請求項１０】
複数枚が集合して繊維強化プラスチックを形成する積層シートの切断装置であって、
前記積層シートを切断するための少なくとも一つのカッタと、
前記積層シートの長手方向における複数の位置に前記少なくとも一つのカッタを位置決め可能に構成された位置決め部と、
前記積層シートの厚み方向における前記少なくとも一つのカッタの移動量を規制するための移動量規制部と、
前記積層シートが載置される基準面を有するベース部と、を備え、
前記移動量規制部は、前記積層シートの端部が階段状に切断されるように、前記複数の位置のそれぞれにおける前記移動量を互いに異ならせるように構成され、
前記移動量規制部は、前記基準面に対する前記少なくとも一つのカッタの移動量を規制するように構成され、
前記移動量規制部は、
前記積層シートの幅方向における前記基準面の両側において前記ベース部に立設され、階段状の上面を有する一対の側壁部と、
前記少なくとも一つのカッタに取り付けられて、前記階段状の上面に当接する階段状の当接面を有するカッタホルダとを含むことを特徴とする繊維強化プラスチック用の積層シート切断装置。
【請求項１１】
前記位置決め部は、前記側壁部および前記カッタホルダの一方に設けられた凸部と、前記側壁部および前記カッタホルダの他方に設けられた凹部との係合部であり、
前記係合部は、前記積層シートの長手方向の複数の位置に設けられることを特徴とする請求項１０に記載の繊維強化プラスチック用の積層シート切断装置。
【請求項１２】
複数枚が集合して繊維強化プラスチックを形成する積層シートの切断装置であって、
前記積層シートを切断するための少なくとも一つのカッタと、
前記積層シートの長手方向における複数の位置に前記少なくとも一つのカッタを位置決め可能に構成された位置決め部と、
前記積層シートの厚み方向における前記少なくとも一つのカッタの移動量を規制するための移動量規制部と、
前記積層シートが載置される基準面を有するベース部と、を備え、
前記移動量規制部は、前記積層シートの端部が階段状に切断されるように、前記複数の位置のそれぞれにおける前記移動量を互いに異ならせるように構成され、
前記移動量規制部は、前記基準面に対する前記少なくとも一つのカッタの移動量を規制するように構成され、
前記積層シートの幅方向における前記基準面の両側において前記ベース部に立設され、階段状の上面を有する一対の側壁部と、
前記ベース部および前記側壁部により構成される下側ケーシングに対して回動軸を介して回動自在に取り付けられ、前記カッタに取り付けられるカッタホルダの挿入用開口を有する上側ケーシングとをさらに備え、
前記移動量規制部は、前記カッタホルダの前記挿入用開口に対する挿入深さを規制するフランジ部を含むことを特徴とする繊維強化プラスチック用の積層シート切断装置。
【国際調査報告】
2014073102.tif 000012
2014073102.tif 000013
2014073102.tif 000014
2014073102.tif 000015